(57)【特許請求の範囲】
【請求項１】
印刷指示に係わる電子文書を取得する取得手段と、
前記取得手段で取得した電子文書から該電子文書を用紙に印刷した場合における該電子文書の画像が形成される第１の領域を示す領域情報を生成する領域情報生成手段と、
前記電子文書に基づき印刷される紙文書を識別する識別情報を生成する識別情報生成手段と、
前記第１の領域を除く前記用紙上の第２の領域に埋め込む該用紙上の埋め込み位置に対応する座標情報、前記識別情報および前記領域情報を含む符号情報を生成する符号情報生成手段と、
前記符号情報生成手段で生成された前記符号情報を前記第２の領域の該符号情報に含まれる前記座標情報に対応する位置に埋め込んで符号画像を生成する符号画像生成手段と、
前記符号画像生成手段により生成された前記符号画像と前記電子文書の画像とを重畳して印刷する印刷手段と
を具備する画像生成装置。
【請求項２】
前記符号画像生成手段は、
前記第１の領域に前記第２の領域に埋め込んだ符号情報と印刷後に略同一の濃度となる擬似符号情報を埋め込んで前記符号画像を生成する請求項１記載の画像生成装置。
【請求項３】
前記識別情報生成手段で生成された前記識別情報および前記領域情報生成手段で生成された前記領域情報を文書管理装置に送信して前記識別情報に対応して前記領域情報を登録する登録手段
を更に具備する請求項１または２に記載の画像生成装置。
【請求項４】
前記印刷手段で印刷した前記紙文書の複写に際して該紙文書から画像を読み取る画像読取手段と、
前記画像読取手段で読み取った画像に含まれる前記符号情報から前記領域情報を抽出する抽出手段と、
前記抽出手段で抽出した前記領域情報に基づき前記第２の領域を決定する決定手段と、
前記決定手段で決定された第２の領域に前記座標情報、前記複写する紙文書を識別する新たな識別情報および前記領域情報を含む符号情報を生成し、該生成した符号情報を前記第２の領域の該符号情報に含まれる前記座標情報に対応する位置に埋め込んで符号画像を生成し、該符号画像と前記電子文書の画像とを重畳して印刷することにより複写文書を生成する複写文書生成手段と
を具備する請求項１乃至３のいずれかに記載の画像生成装置。
【請求項５】
前記複写文書生成手段で生成された新たな識別情報を前記文書管理装置に送信して該新たな識別情報に対応して前記領域情報を登録する請求項４記載の画像生成装置。
【請求項６】
電子文書から紙文書の印刷を行う印刷手段を有する画像生成装置と、
前記画像生成装置で生成される文書を管理する文書管理装置と
を具備し、
前記画像生成装置は、
印刷指示に係わる電子文書を取得する取得手段と、
前記取得手段で取得した電子文書から該電子文書を用紙に印刷した場合における該電子文書の画像が形成される第１の領域を示す領域情報を生成する領域情報生成手段と、
前記電子文書に基づき印刷される紙文書を識別する識別情報を生成する識別情報生成手段と、
前記第１の領域を除く前記用紙上の第２の領域に埋め込む該用紙上の埋め込み位置に対応する座標情報、前記識別情報および前記領域情報を含む符号情報を生成する符号情報生成手段と、
前記符号情報生成手段で生成された前記符号情報を前記第２の領域の該符号情報に含まれる前記座標情報に対応する位置に埋め込んで符号画像を生成する符号画像生成手段と、
前記符号画像生成手段により生成された前記符号画像と前記電子文書の画像とを重畳して前記印刷手段により印刷制御する印刷制御手段と
を具備する文書管理システム。
【請求項７】
前記画像生成装置は、
前記印刷手段で印刷した前記紙文書の複写に際して該紙文書から画像を読み取る画像読取手段と、
前記画像読取手段で読み取った画像に含まれる前記符号情報から前記領域情報を抽出する抽出手段と、
前記抽出手段で抽出した前記領域情報に基づき前記第２の領域を決定する決定手段と、
前記決定手段で決定された第２の領域に前記座標情報、前記複写した紙文書を識別する新たな識別情報および前記領域情報を含む符号情報を生成し、該生成した符号情報を前記第２の領域の該符号情報に含まれる前記座標情報に対応する位置に埋め込んで符号画像を生成し、該符号画像と前記電子文書の画像とを重畳して印刷することにより複写文書を生成する複写文書生成手段と
を具備する請求項６記載の文書管理システム。
【請求項８】
コンピュータを、
印刷指示に係わる電子文書を取得する取得手段、
前記取得手段で取得した電子文書から該電子文書を用紙に印刷した場合における該電子文書の画像が形成される第１の領域を示す領域情報を生成する領域情報生成手段、
前記電子文書に基づき印刷される紙文書を識別する識別情報を生成する識別情報生成手段、
前記第１の領域を除く前記用紙上の第２の領域に埋め込む該用紙上の埋め込み位置に対応する座標情報、前記識別情報および前記領域情報を含む符号情報を生成する符号情報生成手段、
前記符号情報生成手段で生成された前記符号情報を前記第２の領域の該符号情報に含まれる前記座標情報に対応する位置に埋め込んで符号画像を生成する符号画像生成手段、
前記符号画像生成手段により生成された前記符号画像と前記電子文書の画像とを重畳して印刷制御する印刷制御手段、
前記印刷手段で印刷した前記紙文書の複写に際して該紙文書から画像を読み取る画像読取手段、
前記画像読取手段で読み取った画像に含まれる前記符号情報から前記領域情報を抽出する抽出手段、
前記抽出手段で抽出した領域情報に基づき前記第２の領域を決定する決定手段、
前記決定手段で決定された第２の領域に前記座標情報、前記複写する紙文書を識別する新たな識別情報および前記領域情報を含む符号情報を生成し、該生成した符号情報を前記第２の領域の該符号情報に含まれる前記座標情報に対応する位置に埋め込んで符号画像を生成し、該符号画像と前記電子文書の画像とを重畳して印刷することにより複写文書を生成する複写文書生成手段
として機能させるための文書管理プログラム。
【発明の詳細な説明】
【技術分野】
【０００１】
本発明は、画像生成装置、文書管理システム、文書管理プログラムに関する。
【背景技術】
【０００２】
従来よりオフィスで使用される文書に識別情報を振り、文書毎に、ユーザ毎の複写禁止などの文書管理を可能とする文書管理システムが存在する。
【０００３】
その文書管理システムでは、文書毎にセキュリティポリシーが設定されて、許可された者だけが指定の複写等の処理をその文書に対して行うようにすることが可能とされる。
【０００４】
印刷される用紙にバーコード等により識別情報が記録され、識別情報が付与された紙文書として管理される。
【０００５】
特許文献１によれば、文書に２次元コードのドットパターンが印刷されて、文書の印刷、複写等が繰り返される状況でも、文書のセキュリティ状態を追跡維持することのできる文書セキュリティ管理システムが提案されている。
【特許文献１】特開２００５−２５９１０８号公報
【発明の開示】
【発明が解決しようとする課題】
【０００６】
しかし、バーコード等が印刷されて文書管理が行われる紙文書でも、バーコード等が印刷された箇所が切断されると、バーコード等に記録された識別情報による文書管理が行われず、紙文書の識別情報が把握されずに文書管理が行われない。
【０００７】
また、特許文献１の技術では、印刷出力された紙文書がスキャンされて文書が複写印刷されるときに、識別情報が印刷される２次元コードのドットパターンの上書きが、画像ひずみの影響を受け正確に対応できない場合がある。
【０００８】
そこで、この発明は、文書画像が配置された位置に関する情報が符号パターンに記録されることにより、切断された文書が複写されるときにでも、符号パターンが画像ひずみの影響を受けやすい上書き印刷されることなく、識別情報が記録される符号パターンと文書画像とが重畳印刷される画像生成装置、文書管理システム、文書管理プログラムを提供することを目的とする。
【課題を解決するための手段】
【０００９】
上記目的を達成するために、請求項１の発明の画像生成装置は、印刷指示に係わる電子文書を取得する取得手段と、前記取得手段で取得した電子文書から該電子文書を用紙に印刷した場合における該電子文書の画像が形成される第１の領域を示す領域情報を生成する領域情報生成手段と、前記電子文書に基づき印刷される紙文書を識別する識別情報を生成する識別情報生成手段と、前記第１の領域を除く前記用紙上の第２の領域に埋め込む該用紙上の埋め込み位置に対応する座標情報、前記識別情報および前記領域情報を含む符号情報を生成する符号情報生成手段と、前記符号情報生成手段で生成された前記符号情報を前記第２の領域の該符号情報に含まれる前記座標情報に対応する位置に埋め込んで符号画像を生成する符号画像生成手段と、前記符号画像生成手段により生成された前記符号画像と前記電子文書の画像とを重畳して印刷する印刷手段とを具備するように構成される。
【００１０】
また、請求項２の発明は、請求項１の発明において、前記符号画像生成手段は、前記第１の領域に前記第２の領域に埋め込んだ符号情報と印刷後に略同一の濃度となる擬似符号情報を埋め込んで前記符号画像を生成するように構成される。
【００１１】
また、請求項３の発明は、請求項１または２の発明において、前記識別情報生成手段で生成された前記識別情報および前記領域情報生成手段で生成された前記領域情報を文書管理装置に送信して前記識別情報に対応して前記領域情報を登録する登録手段を更に具備するように構成される。
【００１２】
また、請求項４の発明は、請求項１から３のいずれかの発明において、前記印刷手段で印刷した前記紙文書の複写に際して該紙文書から画像を読み取る画像読取手段と、前記画像読取手段で読み取った画像に含まれる前記符号情報から前記領域情報を抽出する抽出手段と、前記抽出手段で抽出した前記領域情報に基づき前記第２の領域を決定する決定手段と、前記決定手段で決定された第２の領域に前記座標情報、前記複写する紙文書を識別する新たな識別情報および前記領域情報を含む符号情報を生成し、該生成した符号情報を前記第２の領域の該符号情報に含まれる前記座標情報に対応する位置に埋め込んで符号画像を生成し、該符号画像と前記電子文書の画像とを重畳して印刷することにより複写文書を生成する複写文書生成手段とを具備するように構成される。
【００１３】
また、請求項５の発明は、請求項４の発明において、前記複写文書生成手段で生成された新たな識別情報を前記文書管理装置に送信して該新たな識別情報に対応して前記領域情報を登録するように構成される。
【００１４】
また、請求項６の発明の文書管理システムは、電子文書から紙文書の印刷を行う印刷手段を有する画像生成装置と、前記画像生成装置で生成される文書を管理する文書管理装置とを具備し、前記画像生成装置は、印刷指示に係わる電子文書を取得する取得手段と、前記取得手段で取得した電子文書から該電子文書を用紙に印刷した場合における該電子文書の画像が形成される第１の領域を示す領域情報を生成する領域情報生成手段と、前記電子文書に基づき印刷される紙文書を識別する識別情報を生成する識別情報生成手段と、前記第１の領域を除く前記用紙上の第２の領域に埋め込む該用紙上の埋め込み位置に対応する座標情報、前記識別情報および前記領域情報を含む符号情報を生成する符号情報生成手段と、前記符号情報生成手段で生成された前記符号情報を前記第２の領域の該符号情報に含まれる前記座標情報に対応する位置に埋め込んで符号画像を生成する符号画像生成手段と、前記符号画像生成手段により生成された前記符号画像と前記電子文書の画像とを重畳して前記印刷手段により印刷制御する印刷制御手段とを具備するように構成される。
【００１５】
また、請求項７の発明は、請求項６の発明において、前記画像生成装置は、前記印刷手段で印刷した前記紙文書の複写に際して該紙文書から画像を読み取る画像読取手段と、前記画像読取手段で読み取った画像に含まれる前記符号情報から前記領域情報を抽出する抽出手段と、前記抽出手段で抽出した前記領域情報に基づき前記第２の領域を決定する決定手段と、前記決定手段で決定された第２の領域に前記座標情報、前記複写した紙文書を識別する新たな識別情報および前記領域情報を含む符号情報を生成し、該生成した符号情報を前記第２の領域の該符号情報に含まれる前記座標情報に対応する位置に埋め込んで符号画像を生成し、該符号画像と前記電子文書の画像とを重畳して印刷することにより複写文書を生成する複写文書生成手段とを具備するように構成される。
【００１６】
また、請求項８の文書管理プログラムは、コンピュータを、印刷指示に係わる電子文書を取得する取得手段、前記取得手段で取得した電子文書から該電子文書を用紙に印刷した場合における該電子文書の画像が形成される第１の領域を示す領域情報を生成する領域情報生成手段、前記電子文書に基づき印刷される紙文書を識別する識別情報を生成する識別情報生成手段、前記第１の領域を除く前記用紙上の第２の領域に埋め込む該用紙上の埋め込み位置に対応する座標情報、前記識別情報および前記領域情報を含む符号情報を生成する符号情報生成手段、前記符号情報生成手段で生成された前記符号情報を前記第２の領域の該符号情報に含まれる前記座標情報に対応する位置に埋め込んで符号画像を生成する符号画像生成手段、前記符号画像生成手段により生成された前記符号画像と前記電子文書の画像とを重畳して印刷制御する印刷制御手段、前記印刷手段で印刷した前記紙文書の複写に際して該紙文書から画像を読み取る画像読取手段、前記画像読取手段で読み取った画像に含まれる前記符号情報から前記領域情報を抽出する抽出手段、前記抽出手段で抽出した領域情報に基づき前記第２の領域を決定する決定手段、前記決定手段で決定された第２の領域に前記座標情報、前記複写する紙文書を識別する新たな識別情報および前記領域情報を含む符号情報を生成し、該生成した符号情報を前記第２の領域の該符号情報に含まれる前記座標情報に対応する位置に埋め込んで符号画像を生成し、該符号画像と前記電子文書の画像とを重畳して印刷することにより複写文書を生成する複写文書生成手段として機能させるためのものである。
【発明の効果】
【００１７】
請求項１の発明によれば、用紙に印刷された電子文書の外の領域に用紙上での座標情報と生成する紙文書の識別情報と用紙に印刷された電子文書の領域を示す領域情報とが記録された符号画像が印刷された紙文書を生成することができる。
【００１８】
請求項２の発明によれば、電子文書が印刷された領域に擬似符号情報が埋め込まれた紙文書を生成することができる。
【００１９】
請求項３の発明によれば、紙文書内の電子文書が印刷された領域についての情報が、用紙の識別情報に対応して文書管理装置に登録される。
【００２０】
請求項４の発明によれば、紙文書に印刷された符号情報に基づいて電子文書が印刷する用紙上での領域を決定し、新たな符号情報を生成して紙文書を複写出力することができる。
【００２１】
請求項５の発明によれば、新たに複写出力された紙文書に電子文書が印刷された領域の情報が、複写出力された紙文書の識別情報に対応して文書管理装置に登録される。
【００２２】
請求項６の発明によれば、用紙に印刷された電子文書の外の領域に用紙上での座標情報と生成される紙文書の識別情報と用紙に印刷された電子文書の領域を示す領域情報とが記録された符号画像が印刷された紙文書が生成されて、用紙上の電子文書が印刷された領域の情報が、生成された紙文書の識別情報と対応して文書管理装置で登録管理される。
【００２３】
請求項７の発明によれば、紙文書に印刷された符号情報に基づいて電子文書を印刷する用紙上での領域を決定し、新たな符号情報を生成して紙文書を複写出力することができる。
【００２４】
請求項８の発明によれば、用紙に印刷された電子文書の外の領域に用紙上での座標情報と生成される紙文書の識別情報と用紙に印刷された電子文書の領域を示す領域情報とが記録された符号画像が印刷された紙文書が生成されて、その紙文書が複写される際に、紙文書に印刷された符号情報に基づいて電子文書を印刷する用紙上での領域が決定されて、新たな符号情報を生成して紙文書を複写出力することができる。
【発明を実施するための最良の形態】
【００２５】
以下、本発明に係わる画像生成装置、文書管理システム、文書管理プログラムの実施例について添付図面を参照して詳細に説明する。
【００２６】
まず、本発明に係わる文書管理システム６０について図１を参照して説明する。
【００２７】
図１は、文書管理システム６０の構成を示した構成図である。
【００２８】
図１に示すように、文書管理システム６０は、文書管理サーバ１０、識別情報管理サーバ２０、画像生成装置３０、クライアント４０が通信回線５０で接続されて構成される。  また、クライアント４０は電子ペン８００よりブルートゥース（Bluetooth）の通信手段により情報を受信することができる。
【００２９】
文書管理サーバ１０は、文書管理システム６０で文書管理を行うサーバであり、紙文書の識別情報毎に紙文書に印刷された文書画像の元となる電子文書を記憶する。  また、文書管理サーバ１０は複写禁止等の文書管理ポシリーの記憶も行い、画像生成装置３０で生成された紙文書が、紙文書に一意に付与された識別情報と文書管理ポリシーに基づいて、ユーザ毎に複写等の処理を制限する文書管理がされる。
【００３０】
識別情報管理サーバ２０は、紙文書毎に付与される識別情報毎に領域情報を記憶する。  領域情報とは紙文書に電子文書の文書画像が埋め込まれる領域を示す情報であり、そして、文書画像が埋め込まれる領域には情報が記録されないダミー（擬似）の符号パターンが印刷され、それ以外の領域には識別情報等の情報が記録される符号パターンが印刷される。  符号パターンには、情報が記録されないダミーの符号パターンと情報が記録される符号パターンの２種類がある（以下、単に符号パターンと呼ぶときには、２種類の符号パターンを含んだ総称的な意味の符号パターンを呼ぶ。）。  そして、ダミーの符号パターンは、用紙に印刷されたときに、情報が記録される符号パターンと略同一の濃度になるような符号パターンである。
【００３１】
画像生成装置３０は、印刷機能、スキャニング機能等を備える複合機であり、文書管理システム６０で識別情報に基づいて管理される紙文書を生成する。
【００３２】
クライアント４０は、パーソナルコンピュータで構成され、ユーザにより、文書管理システム６０で管理される電子文書に対する印刷指示等の処理が行われる。
【００３３】
このように構成される文書管理システム６０では、文書管理サーバ１０で管理される電子文書が画像生成装置３０に送られ、画像生成装置３０で符号パターンの画像と重畳印刷される。  そして、その符号パターンには、紙文書毎に付与される識別情報と用紙の中での位置を示すＸ座標、Ｙ座標の座標情報等の情報が記録される。  つまり、用紙の中での位置を示す為にＸ座標とＹ座標とが設定され、その座標値が符号パターンに記録される。  また、そのような情報が記録される符号パターンの配置場所としては、用紙上の文書画像が配置される領域の外に印刷される。  そして、用紙上の文書画像が配置される領域には、情報が記録されないダミーの符号パターンが印刷される。  ダミーとそうでない符号パターンの配置場所が解析されることにより、文書画像が配置された位置が明らかにされる。  ダミーの符号パターンもドットが配置されることによって構成され、一見、情報が記録された符号パターンとの区別はつかないが、ダミーの符号パターンからは情報が検出されない。
【００３４】
この画像生成装置３０で生成された紙文書には、識別情報と座標情報等の情報が記録される符号パターンが印刷されているので、該紙文書や一部が切断された紙文書が画像生成装置３０で複写されるときにも、複写の結果出力される紙には新たな識別情報が付与されており、その新たな識別情報によって出力された文書は文書管理システム６０で管理される。
【００３５】
次に、画像生成装置３０の構成について、図２を参照して説明を行う。
【００３６】
図２は、画像生成装置３０の構成について示した構成図である。
【００３７】
図２に示すように、画像生成装置３０は、通信部３１、符号パターン生成部３２、画像読取部３３、パターン検出部３４、情報検出部３５、画像受信部３６、印刷実行部３７、制御部３８、記憶部３９を備える。
【００３８】
また、更に、符号パターン生成部３２は、座標情報符号生成部３２１、識別情報符号生成部３２２、領域情報取得部３２３、符号生成部３２４、ダミー配置部３２５を備える。
【００３９】
通信部３１は、通信回線５０を介して文書管理サーバ１０や識別情報管理サーバ２０等と情報の授受を行う。
【００４０】
符号パターン生成部３２は、紙に印刷される符号パターンの画像を生成する。
【００４１】
画像読取部３３は、スキャナで構成され、配置された原稿を読み取って画像データに変換する。  画像読取部３３は、赤外線を照射して配置された原稿を読み取ることにより、赤外線を吸収する素材で印刷された符号パターンを読み取ることができる。
【００４２】
パターン検出部３４は、画像読取部３３で読み取られた原稿の画像データより、原稿に印刷された符号パターンを検出する。
【００４３】
情報検出部３５は、パターン検出部３４で検出された符号パターンより、識別情報やＸ座標情報、Ｙ座標情報などの情報を検出する。
【００４４】
画像受信部３６は、文書管理サーバ１０から送信されて通信部３１が受信した電子文書を受け取り、印刷実行部３７に渡す。  また、画像受信部３６は、電子文書を領域情報取得部３２３に渡す機能も司る。
【００４５】
印刷実行部３７は、符号パターン生成部３２から送られる符号パターンの画像と、画像読取部３３或いは画像受信部３６から送られる電子文書の文書画像とを用紙に重畳印刷して出力する。  重畳印刷について説明すると、重畳印刷される符号パターンの画像と電子文書の文書画像のうち、符号パターンの画像は赤外線を吸収するトナーによって印刷され、電子文書の文書画像は赤外線を吸収しないトナーによって印刷される。  このように印刷された紙文書に赤外線が照射されることにより、その反射光は符号パターンが印刷された箇所だけ吸収されて測定されるので、符号パターンの読み取りが可能とされる。  尚、赤外線を吸収するトナーに透明トナーが使用されることによって、重畳印刷される用紙には符合パターンが視認されず電子文書の文書画像だけが視認されるようにすることもできる。
【００４６】
制御部３８は、画像生成装置３０の統括的な制御を行う。
【００４７】
記憶部３９は、画像生成装置３０を動作させるプログラムであるファームウェアなどを記憶する。
【００４８】
また、符号パターン生成部３２を構成する座標情報符号生成部３２１は、印刷される用紙上のＸ座標、Ｙ座標の座標情報をＭ系列を利用して数値化し、Ｍ系列を利用して数値化された数値を符号化する処理を行う。
【００４９】
識別情報符号生成部３２２は、印刷出力される紙文書の識別情報を新しく生成したり、印刷出力される紙文書の識別情報を符号化する処理を行う。
【００５０】
領域情報取得部３２３は、電子文書の文書画像が用紙上に配置される位置の情報である領域情報を、電子文書の文書画像が用紙上に印刷される位置を電子文書のデータから取得したり、用紙に印刷された符号パターンに記録された領域情報から取得したり、用紙に印刷された符号パターンの情報が記録された符号パターンとダミーの符号パターンとの位置関係から取得したり、用紙に印刷された符号パターンに記録された識別情報に基づいて識別情報管理サーバ２０から取得したりする。
【００５１】
符号生成部３２４は、符号ブロック内に配置される同期符号の符号化や、符号ブロック内に配置される領域情報の符号化などを行う。
【００５２】
符号配置部３２５は、座標情報符号生成部３２１、識別情報符号生成部３２２、符号生成部３２４で生成された符号パターンを、印刷される電子文書の文書画像と同じ大きさの画面上に配置する。  但し、符号配置部３２５で配置される意味のある符号パターンは、領域情報取得部３２３で取得された領域情報で表される領域（電子文書の文書画像が配置される領域）の外に配置される。
【００５３】
ダミー配置部３２６は、情報が記録されないダミーの符号パターンを生成し、符号配置部３２５で符号パターンが配置された画面上の、領域情報取得部３２３で取得された領域情報で表される領域（電子文書の文書画像が配置される領域）内に、情報が記録されないダミーの符号パターンを配置する。  情報が記録されないダミーの符号パターンが配置されることにより、意味のある符号パターンが配置された場所が隠される。
【００５４】
このように構成される画像生成装置３０は、文書管理サーバ１０から送信された電子文書について、その電子文書の文書画像が印刷される領域の外に、紙文書の識別情報や座標情報などが表される符合パターンが文書画像と重畳印刷され、また、文書画像が印刷される領域内には、情報が記録される符号パターンの画像が文書画像と重畳印刷される。
【００５５】
次に、紙文書に印刷された符号パターンについて図３を参照して説明を行う。
【００５６】
図３は、符号パターンについて示した模式図である。
【００５７】
図３（ａ）は符号パターンのドットで構成される最小構成単位の単位符号について示した模式図であり、図３（ｂ）は２５個の単位符号で構成される符号ブロックについて示した模式図であり、図３（ｃ）は紙文書上の符号ブロックで構成される符号パターンを示した模式図である。
【００５８】
図３（ａ）に示すように、符号パターンの最小単位はドットが３つ配置される。  配置される場所は、９つに分割された正方形において分割された９つの箇所から３箇所が選択され、その選択された３箇所にドットが配置される（単位符号については、図４を参照して後で更に説明する）。  ９箇所から３箇所が選択されるので、単位符号が取りうる組み合わせは、（9Ｃ3）で、８４通りである。
【００５９】
そして、分割される正方形の大きさは、１辺が0.5076mmの正方形である。
【００６０】
また、図３（ｂ）に示すように、単位符号が縦５つ、横５つと正方形状に２５個並べられて、１つの符号ブロックが形成される。
【００６１】
この１つの符号ブロックには、図３（ｂ）に示すように、同期情報が記録される単位符号である同期符号が１個と、印刷される用紙上でのＸ座標が記録される単位符号が４個と、印刷される用紙上でのＹ座標が記録される単位符号が４個と、電子文書の識別情報等が記録される単位符号が１６個配置される。
【００６２】
そして、図３（ｃ）に示すように、このような符号ブロックによって形成される符号パターンが、印刷される用紙上に電子文書の文書画像と重畳印刷される。
【００６３】
次に、単位符号について図４を参照して説明を行う。
【００６４】
図４は、単位符号について示した模式図であり、図４（ａ）は１つの単位符号について示した模式図であり、図４（ｂ）は種々の単位符号について示した模式図である。
【００６５】
図４（ａ）に示すように、単位符号は、１辺が0.5076mmの正方形が縦３つ横３つに分割されて、合計９個に分割された中から３個が選択されて、選択された３個の箇所にドットが配置される。
【００６６】
９個のうち３個が選択されて形成される単位符号の種類は、異なる９個の中から３個が選択される組み合わせであるので、（9Ｃ3）となり、８４種類である（図４（ｂ）参照）。
【００６７】
このように１つの単位符号には８４通りの情報が記録されるが、本実施例では６４通りの情報だけが記録される。  つまり、１つの単位符号につき６ビットの情報が記録可能である。  なお、本発明に係わる画像生成装置３０、画像生成方法、文書管理システム６０において、１つの単位符号に８４通りの情報を記録するように構成してもよい。
【００６８】
次に、２５個の単位符号が構成される符号ブロックの詳細について図５を参照して説明を行う。
【００６９】
図５は、符号ブロック（領域符号が記録されないパターン）について示す模式図である。
【００７０】
図５に示すように、符号ブロックには、左上に同期符号として１つの単位符号が配置され（参照番号５０１）、最上段の右側４つには、印刷される用紙の中でのＸ座標を示すＸ座標符号として４つの単位符号が配置される（参照番号５０２）。
【００７１】
そして、符号ブロックの最左列の下側４つには、印刷される用紙の中でのＹ座標を示すＹ座標符号として４つの単位符号が配置される（参照番号５０３）。
【００７２】
また、符号ブロックの右下の４×４の１６個の単位符号が配置される場所には、識別情報が記録される単位符号である識別符号が配置される（参照番号５０４）。
【００７３】
この識別符号は、画像生成装置３０より印刷出力される紙文書に一意に与えられる識別情報が記録された符号である。  識別情報は誤り訂正の機能を持つＲＳ（Reed-Solomon Coding）符号化が行われて記録されるので、３つ分の単位符号（6bit×3=18bit）の訂正能力を持たせれば、１６個の単位符号（6bit×16=96bit）の中に60bitの識別情報が記録される。
【００７４】
このように、符号ブロックには、同期符号とＸ座標符号とＹ座標符号と識別符号とが配置される場合が１つある。  なお、この場合には、領域情報が記録される領域符号は配置されない。
【００７５】
次に、１つの符号ブロック中に領域符号が配置される場合について、図６を参照して説明する。
【００７６】
図６は、符号ブロック（領域符号が配置されるパターン）を示した模式図である。
【００７７】
図６に示すように、領域符号が配置される符号ブロックにおいても、同期符号とＸ座標符号とＹ座標符号とが配置される場所は図５を参照して説明した符号ブロックと同じであるので説明は省略する。
【００７８】
そして、符号ブロックの右下の４×４の１６個の単位符号が配置される場所には、識別情報が記録される識別符号（参照番号６０１）と、領域情報が記録される領域符号とが配置される（参照番号６０２）。
【００７９】
１６個の単位符号中に、識別符号が８個配置され、領域符号が８個配置される。
【００８０】
識別情報と領域情報とは、誤り訂正の機能を持つＲＳ符号化の処理が行われて、８個の単位符号（6bit×8=48bit）に情報が記録される。
【００８１】
１６個の単位符号中に識別符号と領域符号とが配置される場所は、識別符号と領域符号とが互いに隣り合わせになるように千鳥格子状に配置されてもよいし、また、４×４の１６個の単位符号中の左側８個と右側８個（或いは上側８個と下側８個）などと分けて配置してもよく、その配置の場所は問わない。
【００８２】
次に、Ｘ座標符号とＹ座標符号とに記録される情報ついて図７を参照して説明する。
【００８３】
図７は、Ｘ座標符号とＹ座標符号に記録される情報について示した模式図である。
【００８４】
図７に示すように、印刷される用紙上の座標情報としてＸ座標とＹ座標とが設定され、その２つの座標によって用紙上での位置が特定される。  そして、電子文書の文書画像が配置される領域である領域情報も、このＸ座標とＹ座標とが使用された座標情報によって表現される。
【００８５】
座標はＭ系列で表される数字列が使用される。  Ｐ次のＭ系列では、そのＭ系列で表される数字列から連続するＰ個のビット列を取り出したとき、そのＰ個の並びがその数字列の他の部分に現れない性質を持っている。  それで、その性質を利用して、座標軸中での位置の特定が可能となる。
【００８６】
例えば１２次のＭ系列を利用すれば、Ｍ系列の系列長は４０９５（＝２の１２乗−１）となる。
【００８７】
座標の値としては、Ｘ方向、Ｙ方向ともに、Ｍ系列の数値を４ビット毎のブロックに分割し、分割した各ブロックをそれぞれ同期符号に挟まれたＸ座標符号が示される位置に順番に配置する。  Ｙ座標について同様にされて、Ｘ座標符号、Ｙ座標符号が記録される単位符号中に、印刷される用紙上の位置を示す座標情報が記録される。  なお、Ｘ座標符号とＹ座標符号には、１つの単位符号に４ビットの情報が記録されるのではなくて、６ビットの情報が記録されるようにも、本発明に係わる画像生成装置３０、画像生成方法、文書管理システム６０は構成されてもよい。
【００８８】
このように、１つの単位符号に４ビットの座標情報が記録されるので、１つの符号ブロックに各座標共に１６ビットの情報が記録される。  従って、系列長４０９５のＭ系列は、２５５個（＝４０９５÷１６）の符号ブロックに分割して記録され、１つの符号ブロックの大きさは、2.538mmなので連続する２５５個の符号ブロックの長さは647.19mmとなり、647.19mmの長さを符号化できる。  すなわち、A２サイズ（420mm×594mm）の用紙まで符号化できる。
【００８９】
なお、これは１つのＭ系列で位置を符号化した例であるが、複数のＭ系列を連結することで、符号化できる位置をさらに増加させることができる。  例えば、１１次のＭ系列を使用した場合であっても、それを４つ連結することで、Ａ０サイズの用紙を符号化できる。
【００９０】
次に、符号パターンが印刷された紙文書（画像生成装置３０より印刷出力される）について図８を参照して説明する。
【００９１】
図８は、符号パターンが印刷された紙文書と符合パターンを読み取る為の電子ペンについて示した模式図であり、図８（ａ）は符号パターンが印刷された紙文書を示した模式図であり、図８（ｂ）は符号パターンを読み取る電子ペンを示した模式図である。
【００９２】
図８（ａ）に示すように、画像生成装置３０より印刷出力される紙文書には符合パターンが印刷されており、0.5076mmの正方形中に３個のドットが配置され、そのように配置されたドットが用紙上に展開される。
【００９３】
ドットは細かく配置される為、電子文書の文書画像は用紙上で視認可能である。
【００９４】
画像生成装置３０によって印刷出力された紙文書上の符号パターンの読み取りには、画像生成装置３０に備えられる画像読取部３３や、電子ペン８００によって行われる。
【００９５】
次に、図８（ｂ）を参照して、符号パターンを読み取ることができる電子ペン８００について説明を行う。
【００９６】
電子ペン８００は、ペンチップ８０１、圧力センサ８０２、ペンＩＤメモリ８０３、通信回路８０４、赤外ＬＥＤ８０５、赤外ＣＭＯＳセンサ８０６、画像処理部８０７、データ処理部８０８、制御回路８０９、バッテリー８１０、メモリ８１１を備える。
【００９７】
ペンチップ８０１は、電子ペンで筆記動作が行われる為のインクが詰まったペン軸である。
【００９８】
圧力センサ８０２は、ペンチップ８０１に加えられた圧力を感知する機能を司る。
【００９９】
ペンＩＤメモリ８０３は、電子ペン８００毎に設置されるユーザＩＤを記憶する。
【０１００】
通信回路８０４は、電子ペン８００内部に記憶された情報を外部に送信する際の送信装置として使用される。  通信回路８０４の具体例としては、ブルートゥースが考えられる。
【０１０１】
赤外ＬＥＤ（Light Emitting Diode）８０５は、赤外線を紙面に照射する機能を司る。
【０１０２】
赤外ＣＭＯＳ（Complementary Metal Oxide Semiconductor）センサ８０６は、赤外ＬＥＤ８０５によって照射された紙面上の画像を撮像する。  また、赤外ＣＭＯＳセンサ８０６は、撮像した画像を同時に転送できるグローバルシャッター方式のＣＭＯＳを使用している。  そして、赤外ＣＭＯＳセンサ８０６は、赤外領域に感度があるＣＭＯＳセンサが使用され、70fps〜100fps（frame per second）程度の周期で画像を撮像する。
【０１０３】
尚、赤外ＬＥＤ８０５の照射タイミングは、バッテリー８１０の消費電力を抑制するために、赤外ＣＭＯＳセンサ８０６のシャッタータイミングに同期させてパルス点灯される。
【０１０４】
画像処理部８０７は、赤外ＣＭＯＳセンサ８０６で撮像した画像より、ぼかし処理やアンシャープマスキングなどの先鋭化処理を施してノイズ除去を行い、そして、２値化処理によってパターン符号と文書画像とに切り分け、パターン符号を検出する。
【０１０５】
データ処理部８０８は、画像処理部８０７で検出されたパターン符号を復号して、同期情報を検出し、更に、識別情報、座標情報などを検出する。
【０１０６】
制御回路８０９は、赤外ＣＭＯＳセンサ８０６によって撮像された画像より、画像処理部８０７、データ処理部８０８によって識別情報、座標情報等の筆記情報を検出し、検出した筆記情報（識別情報、座標情報等）をメモリ８１１に記憶させる。  メモリ８１１に送信される複数の座標情報を含む筆記情報により、電子ペン８００で筆記された軌跡が判別可能とされる。
【０１０７】
バッテリー８１０は、電子ペン８００で使用される電力を供給する。
【０１０８】
メモリ８１１は、制御回路８０９より送られた筆記情報を記憶する。
【０１０９】
このように構成される電子ペン８００によって、紙文書上の符号パターンの情報が筆記情報として検出される。
【０１１０】
画像生成装置３０では、画像読取部３３に備えられた紙文書が赤外線が照射されて読取が行われ、紙文書上に赤外線を吸収する素材で印刷された符号パターンが読み取られる。
【０１１１】
画像読取部３３で読み取られた画像データはパターン検出部３４に送られ、紙文書上に印刷された符号パターンが検出される。  パターン検出部３４で検出された符号パターンは、情報検出部３５に送られ、情報検出部３５で、紙文書上に展開される符号パターンの情報（座標情報、識別情報など）が検出される。
【０１１２】
このように、画像生成装置３０で印刷出力された紙文書上の符号パターンは読み取られるので、読み取られた符号パターンに記録される識別情報に基づいて、紙文書は、文書管理サーバ１０に記憶されるポリシーにより文書管理される。
【０１１３】
次に、画像生成装置３０上に印刷される符号パターンについて、識別情報等の意味のある情報が記録される符号パターンと情報が記録されないダミーの符号パターンが印刷される領域を図９を参照して説明を行う。
【０１１４】
図９は、画像生成装置３０で印刷出力される紙文書上に印刷される、情報が記録される符号パターンと情報が記録されないダミーの符号パターンの位置について示した模式図である。
【０１１５】
情報が記録される符号パターンは、画像生成装置３０のパターン画像生成部３２の座標情報符号生成部３２１、識別情報符号生成部３２２、符号生成部３２４で生成され、また、ダミーの符号パターンはパターン画像生成部３２のダミー配置部３２６で生成される。
【０１１６】
画像生成装置３０で電子文書が受信されると、領域情報取得部３２３に電子文書が送られる（参照番号９０１）。  電子文書の文書画像とは、図９の参照番号９０１で示すように、電子文書の印刷される画像データである。
【０１１７】
そして、電子文書の文書画像が印刷される領域が領域情報として取得される（参照番号９０１から参照番号９０２）。
【０１１８】
領域情報は、印刷出力される紙文書上に符号パターンとして記録された座標情報に基づいて取得される。
【０１１９】
紙文書に印刷される符号パターンのうち情報が記録される符号パターンは、印刷される用紙上で、文書画像が配置される領域の外に配置される。
【０１２０】
それで、領域情報取得部３２３で領域情報が取得された後に、この領域情報に基づいて、情報が記録される符号パターンが領域情報の外に配置される（参照番号９０３）。
【０１２１】
情報が記録される符号パターンが配置されると、情報が記録された符号パターンが配置された画像データ上に、更に、領域情報取得部３２３で取得された領域情報内にダミーの符号パターンが配置される（参照番号９０４）。
【０１２２】
このように符号パターンの配置に関しては、印刷される電子文書の文書画像が配置される領域内にダミーの符号パターンが配置され、文書画像が配置される領域の外に情報が記録される符号パターンが配置される。
【０１２３】
符号パターンに記録される情報については、２パターンがあり、領域情報が記録される場合とそうでない場合がある。
【０１２４】
次に、その２パターンの場合について図１０を参照して説明を行う。
【０１２５】
図１０は、符号パターンに記録される情報について示した模式図であり、図１０（ａ）は符号パターンに領域情報が記録されない場合について示した模式図であり、図１０（ｂ）は符号パターンに領域情報が記録される場合について示した模式図である。
【０１２６】
図１０（ａ）に示すように、紙文書に印刷される符号パターンは、情報が記録される符号パターンとダミーの符号パターンとで構成される。  そして、情報が記録される符号パターンには、同期情報、Ｘ座標情報、Ｙ座標情報、識別情報の情報が記録される場合がある。
【０１２７】
また、情報が記録される符号パターン中には、上記の情報以外に、領域情報が記録される場合があってもよい。  その場合には、図１０（ｂ）に示すように、情報が記録される符号パターン中に、同期情報、Ｘ座標情報、Ｙ座標情報、識別情報、領域情報の情報が記録される。
【０１２８】
尚、図１０（ａ）（ｂ）共に、文書画像が配置される領域内にダミーの符号パターンが配置され、その領域外に、情報が記録される符号パターンが配置される。
【０１２９】
次に、文書管理システム６０において、文書管理サーバ１０で管理される電子文書が印刷される様子について図１１を参照して説明を行う。
【０１３０】
図１１は、文書管理サーバ１０で管理される電子文書が画像生成装置３０で印刷される様子について示したシーケンス図である。
【０１３１】
まず、クライアント４０から文書管理サーバ１０に対して、文書管理サーバ１０内で記憶される電子文書に印刷の指示が送られる（参照番号１１０１）。
【０１３２】
印刷の指示が行われた文書管理サーバ１０では、指示された電子文書を画像生成装置３０に対して送信する（参照番号１１０２）。
【０１３３】
画像生成装置３０は文書管理サーバ１０から送信された電子文書を受信すると（参照番号１１０３）、画像生成装置３０内の領域情報取得部３２３がその電子文書の領域情報を取得する（参照番号１１０４）。
【０１３４】
領域情報取得部３２３は、電子文書の文書画像が用紙上に印刷される位置を電子文書のデータから領域情報を取得する。
【０１３５】
そして、画像生成装置３０内の識別情報符号生成部３２２が、印刷出力される紙文書に付与する新たな識別情報を生成すると（参照番号１１０５）、画像生成装置３０の通信部３１は、生成された新たな識別情報と取得された領域情報とを識別情報管理サーバ２０に対して送信し、また更に、画像生成装置３０の通信部３１は、新しく生成した識別情報と文書管理サーバ１０から受信して印刷される電子文書との対応関係を文書管理サーバ１０に対して送信する（参照番号１１０６）。
【０１３６】
画像生成装置３０の通信部３１より送られた識別情報と領域情報とが識別情報管理サーバ２０で受信されると、受信された識別情報と領域情報とが組みにされて識別情報管理サーバ２０内に記憶される（参照番号１１０７）。
【０１３７】
また、画像生成装置３０の通信部３１より送られた識別情報と電子文書との対応関係を受信した文書管理サーバ１０では、その対応関係を記憶する（参照番号１１０８）。
【０１３８】
電子文書の識別情報と領域情報とを送信した画像生成装置３０では、符号配置部３２５で、電子文書の文書画像が配置される領域（領域情報）の外に情報が記録される符号パターン（同期符号、座標符号、識別符号、さらには領域符号の場合もある）が配置される（参照番号１１０９）。  そして、ダミー配置部３２６で、情報が記録される符号パターンが配置された画像データ上の、電子文書の文書画像が配置される領域（領域情報）内にダミーの符号パターンが配置される（参照番号１１１０）。
【０１３９】
印刷される符号パターンが生成されると、印刷実行部３７において、電子文書の文書画像と生成された符号パターンの画像とが用紙に重畳印刷される（参照番号１１１１）。
【０１４０】
このように電子文書の文書画像と符号パターンの画像とが重畳印刷された紙文書が、画像生成装置３０で複写処理される際には、複写の結果出力される用紙に、複写元の紙文書とは異なる新しい識別情報が付与される。
【０１４１】
次に、画像生成装置３０で印刷出力された紙文書が、再度画像生成装置３０で複写処理される様子について図１２乃至図１５を参照して説明する。
【０１４２】
図１２は、画像生成装置３０で印刷出力された紙文書が画像生成装置３０で複写処理されるときに、その紙文書の符号パターンに記録される領域情報に基づいて複写処理が行われる場合について示したシーケンス図である。
【０１４３】
まず、画像生成装置３０の画像読取部３３に、画像生成装置３０で重畳印刷された紙文書が配置される。
【０１４４】
そして、画像読取部３３で配置された紙文書の読み取りが行われる。  画像読取部３３で読み取りが行われると（参照番号１２０１）、読み取られた画像データより符号パターン検出部３４が符号パターンを検出し（参照番号１２０２）、そして、検出された符号パターンより情報検出部３５が符号パターンに記録された情報を検出する（参照番号１２０３）。
【０１４５】
この場合（図１２を参照して説明する場合）、情報検出部３５によって検出される情報には、識別情報と領域情報とが含まれている。  つまり、この場合（図１２を参照して説明する場合）、画像読取部３３に配置された紙文書には、領域情報を示す領域符号も符号パターンとして印刷されている。
【０１４６】
情報検出部３５によって検出された識別情報に基づいて、画像生成装置３０は、文書管理サーバ１０に対して、その識別情報に対応する電子文書の送信を依頼する（参照番号１２０４）。  依頼を受けた文書管理サーバ１０は、依頼された識別情報の電子文書を画像生成装置３０に送信する（参照番号１２０５）。
【０１４７】
電子文書を文書管理サーバ１０より受信した画像生成装置３０は、印刷出力される紙文書に付与される新しい識別情報を生成する（参照番号１２０６）。
【０１４８】
新しい識別情報が生成されると、画像生成装置３０の通信部３１は、その新しい識別情報と符号パターンより検出した電子文書の領域情報とを識別情報管理サーバ２０に送信し、また更に、画像生成装置３０の通信部３１は、新しく生成した識別情報と文書管理サーバ１０から受信して印刷される電子文書との対応関係を文書管理サーバ１０に対して送信する（参照番号１２０７）。
【０１４９】
画像生成装置３０から識別情報と領域情報とを受信した識別情報管理サーバ２０は、受信した識別情報と領域情報とを組にして記録する（参照番号１２０８）。
【０１５０】
また、画像生成装置３０の通信部３１より送られた識別情報と電子文書との対応関係を受信した文書管理サーバ１０では、その対応関係を記憶する（参照番号１２０９）。
【０１５１】
識別情報と領域情報とを識別情報管理サーバ２０に送信した画像生成装置３０では、符号パターン生成部３２で、印刷出力される用紙に印刷される符号パターンが、情報検出部３５が検出した領域情報に基づいて生成される（参照番号１２１０）。  生成された符号パターンには、先ほど識別情報管理サーバ２０に送信された識別情報が記録される。
【０１５２】
符号パターン生成部３２で生成される符号パターンには、情報が記録される符号パターンとダミーの符号パターンとが含まれる。  このように用紙に印刷する符号パターンが生成されると、印刷実行部３７で、文書管理サーバ１０から受信した電子文書の文書画像と符号パターン生成部３２で生成した符号パターンの画像とが重畳印刷され、出力される（参照番号１２１１）。
【０１５３】
このように、画像生成装置３０で重畳印刷された紙文書が、画像生成装置３０で複写処理されるときには、画像読取部３３に配置された紙文書に重畳印刷された符号パターンより領域情報が検出されて、その領域情報に基づいて、出力される用紙に印刷される符号パターンが生成される場合がある。
【０１５４】
次に、画像生成装置３０で重畳印刷されて印刷出力された紙文書が再度画像生成装置３０で複写処理されるときに、その紙文書の符号パターンに記録される座標情報に基づいて領域情報が決定され、その領域情報に基づいて複写処理が行われる場合について図１３を参照して説明する。
【０１５５】
図１３は、画像生成装置３０で重畳印刷された紙文書が、画像生成装置３０で複写処理される際に、その紙文書の符号パターンに記録される座標情報に基づいて領域情報が決定されて複写処理が行われる場合について示したシーケンス図である。
【０１５６】
まず、画像生成装置３０の画像読取部３３に、画像生成装置３０で重畳印刷された紙文書が配置される。
【０１５７】
そして、画像読取部３３で配置された紙文書の読み取りが行われる（参照番号１３０１）。  この読み取りによって、紙文書に印刷された符号パターンが検出され（参照番号１３０２）、符号パターンに記録された座標情報、識別情報が検出される（参照番号１３０３）。
【０１５８】
画像生成装置３０は、領域情報取得部３２３が、検出される座標情報を解析し、文書画像が用紙上に配置された位置を示す情報である領域情報を取得する（参照番号１３０４）。  この場合（図１３を参照して説明する場合）の領域情報の取得について説明すると、文書画像が配置される位置にはダミーの符号パターンが印刷されており、文書画像が配置されていない位置には情報が記録される符号パターンが印刷されているので、紙文書上の全ての符号パターンを検出してダミーの符号パターンが印刷された位置を解析することにより、文書画像が配置された位置が明らかになり、領域情報が取得される。
【０１５９】
領域情報が取得されると、画像生成装置３０は、符号パターンより検出された識別情報に基づいて、文書管理サーバ１０に対してその識別情報の電子文書の送信を依頼する（参照番号１３０５）。
【０１６０】
依頼を受けた文書管理サーバ１０は、依頼された電子文書を画像生成装置３０に送信する（参照番号１３０６）。
【０１６１】
文書管理サーバ１０から電子文書を受信した画像生成装置３０では、出力される紙文書に付与される新しい識別情報を生成する（参照番号１３０７）。
【０１６２】
そして、画像生成装置３０の通信部３１は、生成された新たな識別情報と領域情報取得部３２３が取得した領域情報とを識別情報管理サーバ２０に対して送信し、また更に、画像生成装置３０の通信部３１は、新しく生成した識別情報と文書管理サーバ１０から受信して印刷される電子文書との対応関係を文書管理サーバ１０に対して送信する（参照番号１３０８）。
【０１６３】
識別情報管理サーバ２０では、画像生成装置３０から送信された領域情報と識別情報とを記憶する（参照番号１３０９）。
【０１６４】
また、画像生成装置３０の通信部３１より送られた識別情報と電子文書との対応関係を受信した文書管理サーバ１０では、その対応関係を記憶する（参照番号１３１０）。
【０１６５】
領域情報と識別情報とを識別情報管理サーバ２０に送信した画像生成装置３０では、符号パターン生成部３２で、出力される用紙に印刷される符号パターンが、先ほど識別情報管理サーバ２０に送った領域情報に基づいて生成される（参照番号１３１１）。  生成される符号パターンには、先ほど識別情報管理サーバ２０に送信された識別情報が記録される。
【０１６６】
符号パターン生成部３２で生成される符号パターンには、情報が記録される符号パターンとダミーの符号パターンとが含まれる。  このように用紙に印刷する符号パターンが生成されると、印刷実行部３７で、文書管理サーバ１０から受信した電子文書の文書画像と、符号パターン生成部３２で生成された符号パターンの画像とが重畳印刷されて、出力される（参照番号１３１２）。
【０１６７】
このように、画像生成装置３０で重畳印刷された紙文書が、画像生成装置３０で複写処理されるときには、画像読取部３３で読み取られた符号パターンに記録される座標情報に基づいて領域情報が取得され、その領域情報に基づいて、新しい識別情報が記録される符号パターンの画像が文書画像と重畳印刷される場合がある。
【０１６８】
次に、画像生成装置３０で重畳印刷されて印刷出力された紙文書が再度画像生成装置３０で複写処理されるときに、その紙文書の符号パターンに記録される識別情報に基づいて識別情報管理サーバ２０に領域情報が問い合わされて、その領域情報に基づいて、出力される用紙に印刷される符号パターンが生成される場合について説明する。
【０１６９】
図１４は、画像生成装置３０で複写が行われる際に、紙文書に印刷されている符号パターンより識別情報が読み取られて、その識別情報に基づいて識別情報管理サーバ２０に領域情報が問い合わされて領域情報が取得され、複写が行われる場合について示したシーケンス図である。
【０１７０】
まず、画像生成装置３０の画像読取部３３に、画像生成装置３０で重畳印刷された紙文書が配置される。
【０１７１】
そして、画像読取部３３で配置された紙文書の読み取りが行われる（参照番号１４０１）。  この読み取りによって、紙文書に印刷された符号パターンが検出され（参照番号１４０２）、符号パターンに記録された識別情報が検出される（参照番号１４０３）。
【０１７２】
識別情報が検出されると、画像生成装置３０は識別情報を識別情報管理サーバ２０に送信して、その識別情報に対応する領域情報の問合せを行う（参照番号１４０４）。
【０１７３】
領域情報の問合せが行われた識別情報管理サーバ２０では、問い合わされた識別情報に基づいて領域情報の検索を行い、検索した領域情報を画像生成装置３０に送信する（参照番号１４０５）。
【０１７４】
画像生成装置３０では、識別情報管理サーバ２０から領域情報を受信すると、文書管理サーバ１０に対して、先ほど検出した識別情報に対応する電子文書を送信するよう依頼する（参照番号１４０６）。
【０１７５】
文書管理サーバ１０では、依頼された電子文書を検索し、検索した電子文書を画像生成装置３０に送信する（参照番号１４０７）。
【０１７６】
電子文書を受信した画像生成装置３０では、出力される紙文書に付与される新たな識別情報が生成される（参照番号１４０８）。
【０１７７】
新しい識別情報が生成されると、画像生成装置３０の通信部３１は、生成された新しい識別情報に対応する領域情報として、先ほど識別情報管理サーバ２０から受信した領域情報を新しい識別情報と共に識別情報管理サーバ２０に送信し、また更に、画像生成装置３０の通信部３１は、新しく生成した識別情報と文書管理サーバ１０から受信して印刷される電子文書との対応関係を文書管理サーバ１０に対して送信する（参照番号１４０９）。  識別情報管理サーバ２０では、画像生成装置３０より送信された識別情報と領域情報とを組にして記憶する（参照番号１４１０）。
【０１７８】
また、画像生成装置３０の通信部３１より送られた識別情報と電子文書との対応関係を受信した文書管理サーバ１０では、その対応関係を記憶する（参照番号１４１１）。
【０１７９】
識別情報と領域情報とを識別情報管理サーバ２０に送信した画像生成装置３０では、符号パターン生成部３２で、出力される用紙に印刷される符号パターンが、先ほど識別情報管理サーバ２０に送った領域情報に基づいて生成される（参照番号１４１２）。  生成される符号パターンには、先ほど識別情報管理サーバ２０に送信された識別情報が記録される。
【０１８０】
新しい符号パターンが生成されると、印刷実行部３７で、文書管理サーバ１０から受信した電子文書の文書画像と生成された符号パターンの画像とが重畳印刷されて、出力される（参照番号１４１３）。
【０１８１】
このように、画像生成装置３０で符号パターンが印刷された紙文書が画像生成装置３０で複写されるときには、画像読取部３３で読み取られた符号パターンに記録される識別情報に基づいて識別情報管理サーバ２０に領域情報が問い合わされ、そして、取得された領域情報に基づいて新しい識別情報が記録される符号パターンの画像が文書画像と重畳印刷される場合がある。
【０１８２】
次に、画像生成装置３０より重畳印刷されて、その重畳印刷された紙文書が一部切断され、一部切断されたその紙文書が画像生成装置３０で複写処理されることについて図１５を参照して説明を行う。
【０１８３】
図１５は、画像生成装置３０で印刷出力されて一部が切断された紙文書が、画像生成装置３０で複写される様子について示したシーケンス図である。
【０１８４】
図１５に示すように、画像生成装置３０で印刷出力された紙文書には符号パターンの画像と電子文書の文書画像とが重畳印刷されており、その一部が切断された紙文書は切断により文書画像の一部が欠けている。  文書画像の一部が欠けた紙文書というのは例えば、文書画像が紙文書の上側と下側とに分かれて印刷されて紙文書が中央から切断されて上下に分割された場合は、上側の紙文書にとっては文書画像の下側が欠けている。
【０１８５】
切断された各々の紙文書には、符号パターンが印刷されているので、文書管理が可能だが、それらの紙文書が複写されるときには、複写の結果出力される用紙には新たな識別情報が符号パターンに記録される。
【０１８６】
画像生成装置３０で印刷出力されて一部が切断された紙文書（参照番号１５０１）が、画像生成装置３０の画像読取部３３に配置されて複写指示がされると、画像読取部３３に配置された紙文書より画像の読み取りが行われる（参照番号１５０２）。  読み取りが行われると、配置された紙文書に印刷された符号パターンより情報が検出されて、文書画像が配置されている用紙上での位置を示す座標情報と、紙文書の識別情報とが検出される（参照番号１５０３）。
【０１８７】
そして、領域情報取得部３２３により、検出された座標情報に基づいて、画像読取部３３に配置される紙文書に印刷された文書画像の紙文書上での位置についての情報が領域情報として取得される（参照番号１５０４）。
【０１８８】
領域情報が取得されると、画像生成装置３０は、符号パターンから検出した識別情報に基づいて、文書管理サーバ１０に対してその識別情報の電子文書を送信するよう依頼する（参照番号１５０５）。
【０１８９】
画像生成装置３０から電子文書の送信依頼を受けた文書管理サーバ１０は、依頼された電子文書を画像生成装置３０に送信する（参照番号１５０６）。
【０１９０】
画像生成装置３０では、領域情報取得部３２３が取得した領域情報（参照番号１５０４）に基づいて、文書管理サーバ１０から受信した電子文書の文書画像の印刷される領域を画像受信部３６が決定する（参照番号１５０７）。
【０１９１】
例えば、切断されて文書画像の上側半分だけが印刷された紙文書が画像読取部３３に配置されると、複写して出力される電子文書の文書画像の印刷範囲は、画像読取部３３に配置された紙文書に印刷された範囲と同じであり、文書画像の上側半分だけとなる。
【０１９２】
そして、画像生成装置３０は、複写して出力する紙文書の為の新しい識別情報を生成する（参照番号１５０８）。
【０１９３】
新しい識別情報を生成すると、画像生成装置３０の通信部３１は、生成した新しい識別情報と検出した座標情報に基づいて取得した領域情報とを組にして識別情報管理サーバ２０に送信し、また更に、画像生成装置３０の通信部３１は、新しく生成した識別情報と文書管理サーバ１０から受信して印刷される電子文書との対応関係を文書管理サーバ１０に対して送信する（参照番号１５０９）。
【０１９４】
識別情報管理サーバ２０では、画像生成装置３０から、識別情報と領域情報とを受信すると、それらの情報を組にして記憶する（参照番号１５１０）。
【０１９５】
また、画像生成装置３０の通信部３１より送られた識別情報と電子文書との対応関係を受信した文書管理サーバ１０では、その対応関係を記憶する（参照番号１５１１）。
【０１９６】
識別情報と領域情報とを識別情報管理サーバ２０に送信した画像生成装置３０は、新しい識別情報が記録される符号パターンを生成する（参照番号１５１２）。
【０１９７】
そして、画像生成装置３０は、電子文書の印刷範囲中の文書画像と生成した符号パターンの画像とを重畳印刷する（参照番号１５１３）。  そして、重畳印刷されて出力される紙文書には、新しい識別情報等が記録された符号パターンが印刷され、そして、画像読取部３３に配置された複写元の切断された紙文書に印刷された文書画像が印刷されている。
【０１９８】
このように、画像生成装置３０で重畳印刷されて一部切断された紙文書が、画像生成装置３０で複写されるときには、画像生成装置３０の画像読取部３３に配置された紙文書の座標情報が読み取られて領域情報が決定され、その領域情報に基づいて文書管理サーバ１０から受信した電子文書の文書画像の印刷範囲が決定される。  印刷範囲が決定されると決定された印刷範囲の文書画像と新しい識別情報が記録された符号パターンの画像とが重畳印刷される。
【０１９９】
尚、電子文書が印刷される際に用紙に印刷される符号パターンは、画像生成装置３０で生成されるように説明したが、クライアント４０或いは文書管理サーバ１０に画像生成装置３０内の符号パターン生成部３２と同じ構成を備えて、符号パターンの生成がクライアント４０或いは文書管理サーバ１０で行われるように文書管理システム６０が構成されてもよい。
【産業上の利用可能性】
【０２００】
この発明は、画像生成装置、文書管理システム、文書管理プログラムにおいて利用可能である。
【０２０１】
また、上記実施の形態の機能を実現するためのプログラムが記録されている記録媒体を供給し、通信装置などで記録媒体に格納されたプログラムを読み出し実行することによっても、上記実施の形態と同様の効果を奏する。  プログラムを供給するための記憶媒体としては、例えば、ＣＤ−ＲＯＭ(Compact Disk Read Only Memory)、ＤＶＤ(Digital Versatile Disk)、及びＳＤカード(Secure Digital memory card)などや、プログラムを供給するサーバなどであっても良い。
【図面の簡単な説明】
【０２０２】
【図１】文書管理システム６０の構成図。
【図２】画像生成装置３０の構成図。
【図３】符号パターンの模式図。
【図４】単位符号の模式図。
【図５】符号ブロックの模式図。
【図６】符号ブロックの模式図。
【図７】座標情報の内容を示す模式図。
【図８】電子ペンの構成図。
【図９】情報が記録される符号パターンとダミーの符号パターンとの配置を示す模式図。
【図１０】符号パターンに記録される情報の内容を示す模式図。
【図１１】画像生成装置３０で電子文書が印刷される様子を示したシーケンス図。
【図１２】画像生成装置３０で、領域情報が読み取られて複写が行われる様子を示すシーケンス図。
【図１３】画像生成装置３０で、読み取られた座標情報に基づいて領域情報が決定され複写が行われる様子を示すシーケンス図。
【図１４】画像生成装置３０で、識別情報管理サーバ２０に問合せが行われて複写が行われる様子を示すシーケンス図。
【図１５】画像生成装置３０で、一部が切断された紙文書が複写される様子を示すシーケンス図。
【符号の説明】
【０２０３】
１０    文書管理サーバ
２０    識別情報管理サーバ
３０    画像生成装置
３１    通信部
３２    符号パターン生成部
３２１    座標情報符号生成部
３２２    識別情報符号生成部
３２３    領域情報取得部
３２４    符号生成部
３２５    符号配置部
３２６    ダミー配置部
３３    画像読取部
３４    パターン検出部
３５    情報検出部
３６    画像受信部
３７    印刷実行部
３８    制御部
３９    記憶部
４０    クライアント
６０    文書管理システム
５０１    同期符号
５０２    Ｘ座標符号
５０３    Ｙ座標符号
５０４    識別符号
６０１    識別符号
６０２    領域符号
【図１】
0004962233.tif 000002
【図２】
0004962233.tif 000003
【図３】
0004962233.tif 000004
【図４】
0004962233.tif 000005
【図５】
0004962233.tif 000006
【図６】
0004962233.tif 000007
【図７】
0004962233.tif 000008
【図８】
0004962233.tif 000009
【図９】
0004962233.tif 000010
【図１０】
0004962233.tif 000011
【図１１】
0004962233.tif 000012
【図１２】
0004962233.tif 000013
【図１３】
0004962233.tif 000014
【図１４】
0004962233.tif 000015
【図１５】
0004962233.tif 000016